(57)【要約】【課題】目地の交換時などにおいて、目地の交換が容易な目地部材を提供する。【解決手段】浴槽端縁面３と浴室の壁面１との間隙（目地５）に差し込み固定する目地部材６において、浴槽端縁面３と壁面１との間隙を水密的に閉塞するシーリング部７、シーリング部７と別体に形成されており浴槽端縁面３と壁面１との間隙に差し込まれる固定部８、及び、シーリング部７及び固定部８を着脱可能に接合する接合部を含む構成とする。これにより、固定部８を浴槽端縁面３と壁面１との間隙に差し込んだまま、シーリング部７のみを交換することができ、作業が容易となる。【選択図】        図１
2005299162.tif 000002
【特許請求の範囲】
【請求項１】
浴槽端縁面と浴室壁面との間隙に差し込み固定する目地部材であって、
浴槽端縁面と浴室壁面との間隙を水密的に閉塞するシーリング部と、
前記シーリング部と別体に形成されており、浴槽端縁面と浴室壁面との間隙に差し込まれる固定部と、
前記シーリング部及び前記固定部を着脱可能に接合する接合部と、
を備えていることを特徴とする目地部材。
【請求項２】
前記接合部は、前記シーリング部又は前記固定部の一方に形成された凹部、及び他方に形成された凸部を有し、
前記凹部は開口縁の対抗する辺の間隔が当該凹部の内部の対抗する側壁の間隔よりも狭く形成されており、
前記凸部は前記凹部に係合可能な形状に形成されていることを特徴とする請求項１記載の目地部材。
【請求項３】
浴槽端縁面と浴室壁面との間の目地構造であって、
浴槽端縁面と浴室壁面との間隙に挿入され、浴槽壁面に浴槽を固定する固定部と、
前記固定部とは別体に形成されており、前記浴槽端縁面と浴室壁面との間隙の上部を水密的に閉塞するシーリング部と、
前記シーリング部及び前記固定部を着脱可能に接合する接合部と、
を備えていることを特徴とする目地構造。
【発明の詳細な説明】
【技術分野】
【０００１】
本発明は、浴槽端縁面と浴室壁面との間の目地構造及びそれに使用する目地部材に関するものである。
【背景技術】
【０００２】
一般家庭の浴室では、浴槽を浴室に設置する際には、浴槽を浴室壁面に密着させて固定する。このとき、浴槽端縁面と浴室壁面との間の目地から浴槽の下部に水が進入しないようにシーリング（水密処理）が行われる。
【０００３】
図５は浴室に浴槽を設置した状態を示した図である（特許文献３，図３参照）。図５においては、浴室１００の壁面１０１に沿って、浴槽１０２が設置されている。浴槽１０２は、浴槽端縁面１０３が壁面１０１に接した状態で設置される。このとき、浴槽端縁面１０３と浴室壁面１０１との間の継ぎ目が目地１０４である。この目地１０４は、通常、コーキング材によりコーキングしたり、目地部材を挿入したりして仕上げられる。
【０００４】
目地部材の役割としては、目地１０４から浴槽１０２の下部に水が進入しないようにシーリングする役割のほかに、浴槽１０２を壁面１０１にがたつかないように固定する役割を有する。
【０００５】
このような目地部材としては、特許文献１〜３に記載のものが公知である。
【０００６】
図６は特許文献１記載の目地部材の断面図である。図６において、壁面１０１、浴槽１０２、浴槽端縁面１０３、目地１０４は図５と同様である。
【０００７】
この場合、浴槽１０２は、水平方向にずれないように引掛部材１０５により遊びをもった状態で固定されている。引掛部材１０５は、ボルト１０５ａにより、壁面１０１に固定されている。
【０００８】
この目地部材１０６は、目地のシーリングを行う覆い片部１０７と、浴槽の固定をする脚片部１０８とが一体に構成されている。覆い片部１０７は軟質樹脂により構成されており、目地１０４の上方を覆いシーリングする。脚片部１０８は、浴槽端縁面１０３と壁面１０１との間に圧入される部位であり、硬質樹脂で形成されている。脚片部１０８の片側側面には鰭片１１０が突出形成されており、その反対側面には緩衝突条１０９が突出形成されている。この鰭片１１０と緩衝突条１０９は、軟質樹脂で構成されている。鰭片１１０は、脚片部１０８を目地１０４内に圧入する際に圧入し易く、逆に圧入された脚片部１０８が目地から抜けにくくなるように、上方に向かって傾斜を有するように形成されている。
【０００９】
このような目地部材１０６を目地１０４に設置することで、目地１０４からの水の進入を防止するとともに、浴槽１０２のがたつきをなくして浴槽を安定して設置することができる。
【００１０】
図７は特許文献２記載の目地部材の断面図である。図７において、壁面１０１、浴槽１０２、浴槽端縁面１０３、目地１０４は図５と同様である。浴槽１０２の上端縁部に折り返し状に曲げて形成された部分を浴槽リム１０２ａという。浴槽リム１０２ａの外縁面が浴槽端縁面１０３である。
【００１１】
この目地部材１０６’は、目地１０４のシーリングをする上面部１１１と目地１０４に差し込まれる差込部１１２とを備えている。差込部１１２の一側面には、図６と同様の鰭部１１３が形成されている。また、差込部１１２の下端には、差込部１１２が目地１０４から抜脱するのを防止するために、係合部１１４が設けられている。この係合部１１４は、浴槽リム１０２ａの下端部１０２ｂに係合して差込部１１２が抜脱することを防止している。
【特許文献１】特開２００３−１９００３６号公報
【特許文献２】特開２００２−２９１６４２号公報
【特許文献３】特開平１１−３３６２０８号公報
【発明の開示】
【発明が解決しようとする課題】
【００１２】
ところで、浴槽を長期間使用すると、浴槽端縁面と浴室壁面との間の目地にゴミや黴などの汚れが溜まる。また、目地部材の劣化により、目地部材のシーリング性が低下する場合もある。このような場合、目地部材の交換が必要となる。
【００１３】
しかしながら、上記従来の目地部材は、目地部材が目地から容易に抜脱しないように鰭部や係合部を設けている。従って、一度目地に挿入された目地部材を目地から抜脱することは容易ではない。
【００１４】
また、目地部材を無理に目地から抜脱しようとして覆い片部１０７（上面部１１１）を引っ張ると、覆い片部１０７（上面部１１１）が脚片部１０８（差込部１１２）からちぎれ落ちることがある。そうすると、目地に残された脚片部１０８（差込部１１２）を取り出すことがいっそう困難となる。
【００１５】
そこで、本発明の目的は、目地の交換時などにおいて、目地の交換が容易な目地部材を提供することにある。
【課題を解決するための手段】
【００１６】
本発明に係る目地部材の第１の構成は、浴槽端縁面と浴室壁面との間隙に差し込み固定する目地部材であって、浴槽端縁面と浴室壁面との間隙を水密的に閉塞するシーリング部と、前記シーリング部と別体に形成されており、浴槽端縁面と浴室壁面との間隙に差し込まれる固定部と、前記シーリング部及び前記固定部を着脱可能に接合する接合部とを備えていることを特徴とする。
【００１７】
この構成により、目地の表面が汚れて交換が必要な場合には、固定部を浴槽端縁面と浴室壁面との間隙に差し込んだまま、シーリング部を固定部から外し、シーリング部のみを交換することができる。これにより、浴槽を固定部により浴室壁面に固定したままの状態でシーリング部を交換することができるので、浴槽がずれる心配がなく、交換作業が容易である。
【００１８】
また、浴槽を浴室壁面に設置する場合には、浴槽を浴室壁面に固定具等で取り付けた状態で、先に、浴槽端縁面と浴室壁面との間隙に固定部を差し込んで浴槽を固定する。そして、浴槽の位置調整や水平調整を行う。その後、接合部により固定部にシーリング部を接合し、目地のシーリングを行う。このように、浴槽の固定作業と目地のシーリング作業とを分離して行うことが可能となる。従って、浴槽の設置作業も容易となる。
【００１９】
また、本発明に係る目地部材の第２の構成は、前記第１の構成において、前記接合部は、前記シーリング部又は前記固定部の一方に形成された凹部、及び他方に形成された凸部を有し、前記凹部は開口縁の対抗する辺の間隔が当該凹部の内部の対抗する側壁の間隔よりも狭く形成されており、前記凸部は前記凹部に係合可能な形状に形成されていることを特徴とする。
【００２０】
この構成により、固定部に対してシーリング部を接合する場合、凸部を凹部に差し込んで係合させればよい。従って、接合作業が容易となる。
【００２１】
本発明に係る目地構造の第１の構成は、浴槽端縁面と浴室壁面との間の目地構造であって、浴槽端縁面と浴室壁面との間隙に挿入され、浴槽壁面に浴槽を固定する固定部と、前記固定部とは別体に形成されており、前記浴槽端縁面と浴室壁面との間隙の上部を水密的に閉塞するシーリング部と、前記シーリング部及び前記固定部を着脱可能に接合する接合部とを備えていることを特徴とする。
【００２２】
この構成により、汚れ等で目地を交換する場合や、施工時に目地の打ち直しが必要な場合でも、目地の交換作業や打ち直し作業を容易に行うことが可能な目地構造を提供することができる。
【発明の効果】
【００２３】
以上のように、本発明の目地部材によれば、目地の表面が汚れて交換が必要な場合、浴槽を固定部により浴室壁面に固定したままの状態でシーリング部を交換するだけでよいため、目地の交換作業が極めて簡単になる。
【００２４】
また、浴槽を浴室壁面に設置する場合、浴槽の固定作業時には固定部のみを浴槽と浴室壁面の間に挿入して作業を行う。これにより、目地の仕上がりを気にせずに、浴槽の固定作業を行うことができる。そして、固定作業後に、固定部にシーリング部を接合させることで、目地のシーリングを行う。これにより、目地のシーリング作業時には、浴槽は固定されており、浴槽の位置調節等を気にすることなくシーリングのみを行えばよい。従って、浴槽を浴室壁面に設置する作業が容易となる。
【００２５】
本発明の目地構造によれば、汚れ等で目地を交換する場合や、施工時に目地の打ち直しが必要な場合でも、目地の交換作業や打ち直し作業を容易に行うことが可能な目地構造を提供することができる。
【発明を実施するための最良の形態】
【００２６】
以下、本発明を実施するための最良の形態について、図面を参照しながら説明する。
【実施例１】
【００２７】
図１は本発明の実施例１に係る目地構造の断面図、図２は本発明の実施例１に係る目地構造の斜視図、図３は目地部材のシーリング部の断面図、図４は目地部材の固定部の断面図である。図１は、浴室の壁面１に接して設けられた浴槽２の浴槽端縁面３の付近を表している。浴槽２の上端は、ほぼ鉛直方向に折り返された浴槽リム２ａが形成されている。浴槽リム２ａの外側面が浴槽端縁面３である。浴槽端縁面３は、壁面１にほぼ平行（実際には、浴槽成型時の金型からの脱型のために、３〜５度程度の上開き）である。
【００２８】
また、壁面１には引掛部材４が固定されている。この引掛部材４は、浴槽リム２ａとほぼ同じ高さの位置に固定されている。引掛部材４は、上部に解放した溝状に形成されており、浴槽２の浴槽リム２ａがこの溝内に挿入されている。このようにして、浴槽２は引掛部材４により壁面１の近傍に拘束されている。
【００２９】
引掛部材４により拘束された状態において、浴槽端縁面３と壁面１との間には若干の遊びが設けられている。この遊び部分の間隙が目地５である。目地５には、水が進入することを防止するため、目地部材６が設けられている。
【００３０】
目地部材６は、浴槽端縁面３と浴室の壁面１との間の目地５を水密的に閉塞するシーリング部７と、シーリング部７とは別体に形成され浴槽端縁面３と浴室の壁面１との間の目地５に差し込まれる固定部８を有する。シーリング部７は、軟質樹脂（例えば、オレフィン系エラストマー等）により構成されている。固定部８は硬質樹脂（例えば、ポリプロピレン等）により構成されている。
【００３１】
固定部８は、目地に挿入される挿入部８ａと、挿入部８ａの上部に拡幅形成された拡幅部８ｂからなる。固定部８の拡幅部８ｂの上端面には、凹部９が形成されている。一方、シーリング部７の下面には、突条状に凸部１０が形成されている。凹部９は、内部断面がほぼ逆三角形状に形成されている。凹部９の対抗する２つの開口縁９ａ，９ａの辺の間隔は、当該凹部９内部の対抗する側壁上部の間隔よりも狭く形成されている。また、凸部１０は、シーリング部７の下面に突出形成された柄部１０ａと、柄部１０ａの先端に段差状に拡幅形成された断面台形状乃至三角形状の先端部１０ｂからなる。この凸部１０は、硬質樹脂により形成されている。
【００３２】
凸部１０の先端部１０ｂの最大幅は、凹部９の開口縁９ａ，９ａの辺の間隔よりも広く形成されている。そして、凸部１０の先端部１０ｂは凹部９の溝内に挿入可能な大きさである。凸部１０の先端部１０ｂが凹部９の溝内に挿入された状態において、先端部１０ｂは凹部９の開口縁９ａ，９ａに引っかかり、係止される。この凹部９と凸部１０により接合部が構成される。そして、凸部１０を凹部９に抜脱することにより、シーリング部７を固定部８に着脱することが可能である。
【００３３】
固定部８の挿入部８ａの外側面には、２つの鰭部１１が上方に向かって傾斜した状態で突出形成されている。また、固定部８の挿入部８ａの下端には、かえし状の先端係止部１２が形成されている。先端係止部１２は、浴槽リム２ａの底面２ｂに引っかかり、固定部８が目地５内から容易に抜脱されるのを防止する。
【００３４】
以上のように構成された本実施例の目地構造を実際に設置する場合、まず、浴槽２の浴槽リム２ａを引掛部材４に引っ掛けて設置した後に、目地５内に固定部８を挿入する。そして、浴槽２を浴室の壁面１にがたつかないように固定する。
【００３５】
次いで、浴槽２の固定作業が終わった後に、シーリング部７を固定部８に接合しシーリングする。この場合、凸部１０を凹部９に押し込むだけで簡単に接合することができる。
【００３６】
このように、浴槽２の固定作業とシーリング作業を別々に行うことができるため、目地構造の設置作業が極めて容易である。
【００３７】
また、目地が汚れた場合、シーリング部７を固定部８から引きはがす。この場合、シーリング部７を固定部８から引きはがす作業は、固定部８を目地５から引き抜く作業よりもはるかに容易に行うことができる。
【００３８】
シーリング部７を引きはがした後に、汚れを掃除して、再びシーリング部７を固定部８に接合する。また、シーリング部７が劣化した場合には、新しいシーリング部７を固定部８に接合する。このようにして、シーリング部７を交換するだけで目地の交換を行うことが可能となる。
【図面の簡単な説明】
【００３９】
【図１】本発明の実施例１に係る目地構造の断面図である。
【図２】本発明の実施例１に係る目地構造の斜視図である。
【図３】目地部材のシーリング部の断面図である。
【図４】目地部材の固定部の断面図である。
【図５】浴室に浴槽を設置した状態を示した図である。
【図６】特許文献１記載の目地部材の断面図である。
【図７】特許文献２記載の目地部材の断面図である。
【符号の説明】
【００４０】
１  壁面
２  浴槽
２ａ  浴槽リム
２ｂ  浴槽リムの底面
３  浴槽端縁面
４  引掛部材
５  目地
６  目地部材
７  シーリング部
８  固定部
８ａ  挿入部
８ｂ  拡幅部
９  凹部
９ａ  開口縁
１０  凸部
１０ａ  柄部
１０ｂ  先端部
１１  鰭部
１２  先端係止部
【図１】
2005299162.tif 000003
【図２】
2005299162.tif 000004
【図３】
2005299162.tif 000005
【図４】
2005299162.tif 000006
【図５】
2005299162.tif 000007
【図６】
2005299162.tif 000008
【図７】
2005299162.tif 000009